(57)【特許請求の範囲】
【請求項１】
人又は動物から摘出された摘出物をスライスする際の補助のための摘出物スライス補助装置であって、
一対の摘出物スライス補助具と、
その一対の摘出物スライス補助具を対向状態に維持しつつ、その一対の摘出物スライス補助具の間隔を調整可能に、その一対の摘出物スライス補助具を連結する連結材と
を有し、
前記一対の摘出物スライス補助具の各々が、
水平方向成分を有する方向に延びるベースと、
前記ベースの延びる方向に沿って整列状態で隙間を隔てて前記ベースに対して設けられ、ほぼ鉛直下方に延びる複数の針と
を有するものである、
摘出物スライス補助装置。
【請求項２】
人又は動物から摘出された摘出物をスライスする際の補助のための摘出物スライス補助装置であって、
一対の摘出物スライス補助具と、
その一対の摘出物スライス補助具を対向状態に維持しつつ、その一対の摘出物スライス補助具の間隔を調整可能に、その一対の摘出物スライス補助具を連結する連結材と
を有し、
前記一対の摘出物スライス補助具の各々が、
水平方向成分を有する方向に延びるベースと、
前記ベースの延びる方向に沿って整列状態で等間隔を隔てて前記ベースに対して設けられ、ほぼ鉛直下方に延びる複数の針と
を有するものである、
摘出物スライス補助装置。
【請求項３】
請求項１又は請求項２に記載の摘出物スライス補助装置であって、
前記一対の摘出物スライス補助具の各々において、
隣接する前記針同士の間隔は、当該摘出物をスライスするのに使用されるナイフの刃の厚みに対応している、
摘出物スライス補助装置。
【請求項４】
請求項１〜請求項３のいずれかに記載の摘出物スライス補助装置であって、
前記一対の摘出物スライス補助具の各々において、
前記ベースには、隣接する前記針同士の複数の隙間のうちの少なくとも一部に対応して、当該隙間を特定する隙間識別標識が設けられている、
摘出物スライス補助装置。
【請求項５】
請求項１〜請求項３のいずれかに記載の摘出物スライス補助装置であって、
前記一対の摘出物スライス補助具の各々において、
前記ベースには、前記複数の針のうちの少なくとも一部に対応して、当該針を特定する針識別標識が設けられている、
摘出物スライス補助装置。
【請求項６】
請求項１〜請求項５のいずれかに記載の摘出物スライス補助装置であって、
前記一対の摘出物スライス補助具の各々において、
前記複数の針のうちの少なくとも一部には、自身を特定する針自身識別標識が設けられている、
摘出物スライス補助装置。
【請求項７】
人又は動物から摘出された摘出物をスライスする際に使用される摘出物スライス補助セットであって、
請求項１〜請求項６のいずれかに記載の摘出物スライス補助装置と、
前記摘出物が載置されるとともに、当該摘出物を貫通した前記針の先端部が突き刺された状態で保持される受け板と
を有する、摘出物スライス補助セット。
【発明の詳細な説明】
【技術分野】
【０００１】
本発明は、人又は動物から摘出した摘出物をスライスする際に使用される補助装置等に関するものである。
【背景技術】
【０００２】
疾患の診断又は研究のために、病理検査が行われる。
病理検査とは、手術，生検等によって人体等から摘出された疾患を有する臓器，組織等の摘出物から病理標本を作成し、その病理標本について、顕微鏡等を用いて医学的見地から検査することをいう。
例えば、胃ガンの病理検査が行われる際には、胃（その全部又は一部）が摘出され、その摘出された胃（摘出物）から病理標本が作成され、その病理標本が検査される。
こうして、胃ガンの広がり（摘出物における断端の状態を含む），進行，良性・悪性の程度，脈管侵襲の有無等が診断される。
なお、ここで、「摘出物における断端」とは、切断されて摘出された摘出物の当該切断面であるが、その断端の状態を正確に診断するためには当該摘出物の内部の情報も重要であり、内部とともに当該断端の状態が正確に診断されると、胃ガンの広がり等がより明確に診断され得るのである。
【０００３】
摘出物から病理標本を作成する際の第１の段階として、摘出物を複数（多数）の薄肉状のものにスライス（薄切り）するという工程がある。
そして、最終的な病理標本を高精度のものとするためには、摘出物が均一にスライスされる必要がある。
すなわち、スライスされたもの（「スライス片」ということとする）の各々において、いずれの部位においても肉厚が同一である（これを広義の「均一」ということとする）必要がある。
また、それに加えて、複数のスライス片の肉厚が同一である（これを狭義の「均一」ということとする）と、さらに好ましい。
【０００４】
従来、そのスライスの作業は、次のようにされている。
すなわち、執刀者が、摘出物を自身の一方の手（例えば左手）で押さえて、その摘出物の位置を固定しつつ、他方の手（例えば右手）で、ナイフを用いて、各スライス片における各部位の厚みが同一（広義の均一）になることを目分量等で目指しつつ、さらには、すべてのスライス片の厚みが同一（狭義の均一）になることを同じく目分量等で目指しつつ、その摘出物をスライスするのである。
【０００５】
しかしながら、上述の方法では、摘出物が均一にスライスされるか否かは、その執刀者の技量によるところとなり、特別に優れた技量を有する執刀者以外の者がスライスする場合は、摘出物は均一にはスライスされない。
【０００６】
なお、特許文献１には、臓器や組織をスライスする装置等が開示されている。しかしながら、この装置は、スライス自体も機械的に行う（それも、同時に複数の断片にスライスする）ものであり、必然的に大がかりなものとなる。
【特許文献１】特表２００２−５３３６７０号公報
【発明の開示】
【発明が解決しようとする課題】
【０００７】
本発明は、人体等からの摘出物を執刀者が容易に均一にスライス（薄切り）することができるように補助する装置等を提供することを課題とする。
【課題を解決するための手段】
【０００８】
上記の課題を解決するために、請求項１に係る発明は、人又は動物から摘出された摘出物をスライスする際の補助のための摘出物スライス補助装置であって、一対の摘出物スライス補助具と、その一対の摘出物スライス補助具を対向状態に維持しつつ、その一対の摘出物スライス補助具の間隔を調整可能に、その一対の摘出物スライス補助具を連結する連結材とを有し、前記一対の摘出物スライス補助具の各々が、水平方向成分を有する方向に延びるベースと、前記ベースの延びる方向に沿って整列状態で隙間を隔てて前記ベースに対して設けられ、ほぼ鉛直下方に延びる複数の針とを有するものである、摘出物スライス補助装置である。
【０００９】
ここで、「摘出」とは、人体等の内部から内臓等を取り出す場合に限らず、皮膚等、人体等の外表面の一部を構成するものを当該人体等から切断し分離させる場合も含まれる。
「水平方向成分を有する方向に延びる…」「ほぼ鉛直下方に延びる…」とは、使用状態におけるものである。「ほぼ鉛直下方」には「鉛直下方」が含まれる。
【００１０】
請求項１に係る発明の摘出物スライス補助装置の各摘出物スライス補助具においては、複数の針は必ずしも等間隔を隔てて設けられている必要はなく、隣接する針同士の複数の隙間には、幅の狭いものと幅の広いものが混在する、という態様も含まれる。その場合は、幅の狭い隙間には、肉厚の薄い刃のナイフを使用し、幅の広い隙間には、肉厚の厚い刃のナイフを使用する、という使用方法も考えられる。
【００１１】
この発明の摘出物スライス補助装置では、次の作用効果が得られる。
摘出物が受け板に載置された状態で、この発明の摘出物スライス補助装置が、摘出物の上方からその摘出物に向けて下降され、その各スライス補助具の針が、摘出物に対して突き刺され、その摘出物を貫通し、受け板に突き刺され、その受け板によって保持される（そのような受け板が使用される）。
このようにして、摘出物が受け板上において所定の位置に容易に固定されるとともに、各スライス補助具自身も所定の位置に固定される（これをスライス補助具のセットということとする）。
【００１２】
すなわち、この発明の摘出物スライス補助装置は、一対の摘出物スライス補助具が対向状態で連結材によって連結されて形成されているため、その摘出物スライス補助装置全体が一括的に摘出物の上方からその摘出物に向けて下降されることによって、容易に、一対の摘出物スライス補助具が対向状態でセットされ得る。
このようにして、この発明の摘出物スライス補助装置においては、摘出物をスライスするための準備が容易に行われることとなる。
【００１３】
上記のように各スライス補助具がセットされた状態で、執刀者によって、一方のスライス補助具の複数の針のうちの隣接する所定の針同士の隙間と、他方のスライス補助具の複数の針のうちの隣接する所定の針同士の隙間とによって形成される空間（「一対隙間形成空間」ということとする）にナイフの刃が挿通され、その一対隙間形成空間に沿って（すなわち、その一対隙間形成空間を形成する２対の針にガイドされつつ）ナイフが下降されることによって、その摘出物が切断される。
なお、「一対隙間形成空間」の幅は、両スライス補助具における隣接する所定の針同士の隙間の幅であり、当該針同士の隙間の幅が狭い場合は（一般的には狭い）、その「一対隙間形成空間」は、ほぼ２次元状（平面状）の空間となる。
上記の切断作業が他の複数の一対隙間形成空間においても行われることによって、摘出物が均一にスライスされ得る。すなわち、各スライス片のいずれの部位においても肉厚が同一となり得る（広義の均一になり得る）。
【００１４】
また、この発明の摘出物スライス補助装置においては、両摘出物スライス補助具の間隔が調整可能であるために、スライスの対象となる摘出物の大きさに応じて、適宜、両摘出物スライス補助具の間隔が調整されることによって、種々の大きさの摘出物に対応することができる。
【００１５】
請求項２に係る発明は、人又は動物から摘出された摘出物をスライスする際の補助のための摘出物スライス補助装置であって、一対の摘出物スライス補助具と、その一対の摘出物スライス補助具を対向状態に維持しつつ、その一対の摘出物スライス補助具の間隔を調整可能に、その一対の摘出物スライス補助具を連結する連結材とを有し、前記一対の摘出物スライス補助具の各々が、水平方向成分を有する方向に延びるベースと、前記ベースの延びる方向に沿って整列状態で等間隔を隔てて前記ベースに対して設けられ、ほぼ鉛直下方に延びる複数の針とを有するものである、摘出物スライス補助装置である。
【００１６】
請求項２に係る発明の摘出物スライス補助装置においても、請求項１に係る発明の摘出物スライス補助装置と同様の作用効果が得られる。
そして、請求項２に係る発明の摘出物スライス補助装置では、請求項１に係る発明の摘出物スライス補助装置の作用効果に加えて、次の作用効果が得られる。
この摘出物スライス補助装置の各摘出物スライス補助具においては、複数の針が等間隔を隔てて設けられており、すなわち、隣接する針同士の隙間の幅はすべて同一であるため、すべてのスライス片の肉厚が同一となり得る（狭義の均一になり得る）。
【００１７】
請求項３に係る発明は、請求項１又は請求項２に係る発明の摘出物スライス補助装置であって、前記一対の摘出物スライス補助具の各々において、隣接する前記針同士の間隔は、当該摘出物をスライスするのに使用されるナイフの刃の厚みに対応している、摘出物スライス補助装置である。
【００１８】
請求項３に係る発明の摘出物スライス補助装置においては、請求項１又は請求項２に係る発明の摘出物スライス補助装置の作用効果に加えて、次の作用効果が得られる。
すなわち、その各摘出物スライス補助具の隣接する針同士の間隔は、摘出物をスライスするのに使用されるナイフの刃の厚みに対応しているため、前述したように執刀者によって一対隙間形成空間（一方のスライス補助具の複数の針のうちの隣接する所定の針同士の隙間と、他方のスライス補助具の複数の針のうちの隣接する所定の針同士の隙間とによって形成される空間）にナイフの刃が挿通され、その一対隙間形成空間に沿ってナイフが下降される際に、そのナイフは、より確実に、その一対隙間形成空間を形成する２対の針によってガイドされることとなる。
このため、摘出物は、より確実に、均一にスライスされることになる。
すなわち、請求項１に係る発明の従属項としての摘出物スライス補助装置の場合は、より確実に、少なくとも広義の均一にスライスされる。また、請求項２に係る発明の従属項としての摘出物スライス補助装置の場合は、より確実に、狭義の均一にスライスされる。
【００１９】
なお、請求項１に係る発明の従属項としての摘出物スライス補助装置の場合は、複数の針は必ずしも等間隔を隔てて設けられている必要はなく、隣接する針同士の複数の隙間には、幅の狭いものと幅の広いものが混在する、という態様も含まれる。その場合は、幅の狭い隙間には、肉厚の薄い刃のナイフが使用され、幅の広い隙間には、肉厚の厚い刃のナイフが使用される。
【００２０】
請求項４に係る発明は、請求項１〜請求項３のいずれかに係る発明の摘出物スライス補助装置であって、前記一対の摘出物スライス補助具の各々において、前記ベースには、隣接する前記針同士の複数の隙間のうちの少なくとも一部に対応して、当該隙間を特定する隙間識別標識が設けられている、摘出物スライス補助装置である。
【００２１】
この発明の摘出物スライス補助装置においては、請求項１〜請求項３のいずれかに係る発明の摘出物スライス補助装置の作用効果に加えて、次の作用効果が得られる。
すなわち、この発明の摘出物スライス補助装置の各摘出物スライス補助具においては、隣接する針同士の複数の隙間のうちの少なくとも一部に対応して、当該隙間を特定する隙間識別標識がベースに設けられている。
このため、その隙間識別標識が目安とされることによって、一方のスライス補助具の複数の針のうちの隣接する所定の針同士の隙間にナイフを挿通し、さらに、他方のスライス補助具の複数の針のうちの隣接する所定の針同士の隙間であって、前記一方のスライス補助具における隙間に対応する隙間に対してそのナイフを挿通することが、執刀者によって容易に行われ得ることとなる。
このようにして、この発明の摘出物スライス補助装置においては、執刀者によってナイフが複数の所定の一対隙間形成空間に容易に挿通され得ることとなり、摘出物がより容易に均一にスライスされることとなる。
【００２２】
請求項５に係る発明は、請求項１〜請求項３のいずれかに係る発明の摘出物スライス補助装置であって、前記一対の摘出物スライス補助具の各々において、前記ベースには、前記複数の針のうちの少なくとも一部に対応して、当該針を特定する針識別標識が設けられている、摘出物スライス補助装置である。
【００２３】
この発明の摘出物スライス補助装置においては、請求項４に係る発明と同様に、請求項１〜請求項３のいずれかに係る発明の摘出物スライス補助装置の作用効果に加えて、次の作用効果が得られる。
すなわち、この発明の摘出物スライス補助装置の各摘出物スライス補助具においては、複数の針のうちの少なくとも一部に対応して、当該針を特定する針識別標識がベースに設けられている。
このため、その針識別標識が目安とされることによって、一方のスライス補助具の複数の針のうちの隣接する所定の針同士の隙間にナイフを挿通し、さらに、他方のスライス補助具の複数の針のうちの隣接する所定の針同士の隙間であって、前記一方のスライス補助具における隙間に対応する隙間に対してそのナイフを挿通することが、執刀者によって容易に行われ得ることとなる。
このようにして、この発明の摘出物スライス補助装置においては、執刀者によってナイフが複数の所定の一対隙間形成空間に容易に挿通され得ることとなり、摘出物がより容易に均一にスライスされることとなる。
【００２４】
請求項６に係る発明は、請求項１〜請求項５のいずれかに係る発明の摘出物スライス補助装置であって、前記一対の摘出物スライス補助具の各々において、前記複数の針のうちの少なくとも一部には、自身を特定する針自身識別標識が設けられている、摘出物スライス補助装置である。
【００２５】
この発明の摘出物スライス補助装置においては、請求項１〜請求項５のいずれかに係る発明の摘出物スライス補助装置の作用効果に加えて、次の作用効果が得られる。
すなわち、この発明の摘出物スライス補助装置の各摘出物スライス補助具においては、複数の針のうちの少なくとも一部には、自身を特定する針自身識別標識が設けられている。
このため、その針自身識別標識が目安とされることによって、一方のスライス補助具の複数の針のうちの隣接する所定の針同士の隙間にナイフを挿通し、さらに、他方のスライス補助具の複数の針のうちの隣接する所定の針同士の隙間であって、前記一方のスライス補助具における隙間に対応する隙間に対してそのナイフを挿通することが、執刀者によって容易に行われ得ることとなる。
このようにして、この発明の摘出物スライス補助装置においては、執刀者によってナイフが複数の所定の一対隙間形成空間に容易に挿通され得ることとなり、摘出物がより容易に均一にスライスされることとなる。
【００２６】
請求項７に係る発明は、人又は動物から摘出された摘出物をスライスする際に使用される摘出物スライス補助セットであって、請求項１〜請求項６のいずれかに係る発明の摘出物スライス補助装置と、前記摘出物が載置されるとともに、当該摘出物を貫通した前記針の先端部が突き刺された状態で保持される受け板とを有する、摘出物スライス補助セットである。
【００２７】
この発明の摘出物スライス補助セットにおける受け板は、摘出物を貫通した摘出物スライス補助具（補助装置）の針の先端部が突き刺された状態で保持するものである。
このため、請求項１〜請求項６のいずれかに係る発明の摘出物スライス補助装置の作用効果が確実に得られることとなる。
【発明を実施するための最良の形態】
【００２８】
次に、本発明の一実施形態について、図面に基づいて説明する。
図１等に示すように、この摘出物スライス補助セットは、摘出物スライス補助装置１０，受け板５０を有している。摘出物スライス補助装置１０は、一対の摘出物スライス補助具２０，一対の連結材３０を有している。
この摘出物スライス補助セットは、ナイフＫとともに使用される（図４Ａ，図４Ｂ参照）。
【００２９】
図１及び図２に示すように、各摘出物スライス補助具２０は、ベース２１，多数の針２５を有している。
ベース２１は、一方向に延びる棒状をしている。使用時においては、ベース２１は、ほぼ水平に延びる。
【００３０】
多数の針２５は、ベース２１に対して設けられている。例えば、針２５は、２０〜１００本設けられている。
各針２５は、ベース２１に対して垂直に延びている。使用時においては、各針２５は、ベース２１からほぼ鉛直下方に直線状に延びる。
各針２５は、すべて、同一の形状，大きさを有している。各針２５は、その全長にわたって、円形断面を有している。
各針２５は、ベース２１の長さ方向に沿って、均一の間隔を隔てて、一列に並んでいる。
図２に示すように、各針２５の間隔（正確には、隣接する針２５同士の隙間の幅）は、ナイフＫの刃Ｂの厚みに対応している。正確には、ナイフＫの刃Ｂの厚みのうちの最大部分の当該厚みに対応している。すなわち、隣接する針２５同士の各隙間は、刃Ｂのうち最も厚い部分の厚みとほぼ同一であり、それよりも若干大きな寸法の幅を有している。例えば、隣接する針２５同士の各隙間は、２〜４ｍｍである。
【００３１】
図２に示すように、各ベース２１には、針２５の隙間（隣接する針２５同士の隙間）又は針２５に対応して、当該針２５の隙間又は当該針２５を特定するための識別標識が設けられている。針２５の隙間を特定するための識別標識のことを「隙間識別標識」といい、針２５を特定するための識別標識のことを「針識別標識」ということとする。
【００３２】
この実施形態においては、具体的には、各針２５の隙間（すべての隙間）を特定するための識別標識（隙間識別標識）として、「数字（自然数）」が付されている。すなわち、１番目の隙間（１番目の針２５と２番目の針２５との隙間）に対応して「１」の数字が付され、２番目の隙間（２番目の針２５と３番目の針２５との隙間）に対応して「２」の数字が付され、…とされている。
なお、それに限らず、偶数番目の隙間のみ、又は、５倍数番目の隙間のみ等、一部の隙間のみについて隙間識別標識が付されていてもよい。
また、隙間識別標識として、「数字」に限らず、各種の記号又は図形等が使用されてもよい。
【００３３】
また、図示されてはいないが、ベース２１には、上述の隙間識別標識に代えて、又は、上述の隙間識別標識とともに、針識別標識が付されていてもよい。
針識別標識の一例として、「数字（自然数）」がある。すなわち、１番目の針２５に対応して「１」の数字が付され、２番目の針２５に対応して「２」の数字が付され、…とされてもよい。
なお、それに限らず、偶数番目の針２５のみ、又は、５倍数番目の針２５のみ等、一部の針２５のみについて針識別標識が付されていてもよい。
また、針識別標識として、「数字」に限らず、各種の記号又は図形等が使用されてもよい。
【００３４】
図示されてはいないが、針２５にも、自身を特定する識別標識（針自身識別標識）が付されている。
この実施形態においては、具体的には、各針２５には、針自身識別標識として、その全長にわたって、又は、その全長のうちの一部において、「色彩」が付されている。
すなわち、例えば、１番目の針２５には赤色が付され、２番目の針２５には黄色が付され、３番目の針２５には緑色が付され、４番目の針２５には青色が付され、５番目の針２５には紫色が付されている。６番目以降の針２５には、１番目〜５番目の針２５と同様に、各種の色彩が循環的に付されている。
なお、それに限らず、偶数番目の針２５のみ、又は、５倍数番目の針２５のみ等、一部の針２５にのみ針自身識別標識が付されていてもよい。
【００３５】
両摘出物スライス補助具２０（そのベース２１）は、次のように、一対の連結材３０によって連結されている。こうして、１つの摘出物スライス補助装置１０が形成されている。
各摘出物スライス補助具２０のベース２１には、一対の挿通孔２２が形成されている。
各連結材３０は、直線状をなし、その長さ方向にわたって、均一な断面（形状・大きさ）を有している。例えば、長方形状をしている。
各挿通孔２２（形状・大きさ）は、各連結材３０の断面形状に対応している。例えば、長方形状をしている。
なお、各連結材３０の断面形状及び各挿通孔２２の形状は、長方形状に限らず、円形等でもよい。
【００３６】
各連結材３０は、両摘出物スライス補助具２０（ベース２１）の各挿通孔２２に対して、自身の長さ方向に沿って相対的に摺動可能に挿通されている。このようにして、両摘出物スライス補助具２０は両連結材３０を介して連結され、摘出物スライス補助装置１０が形成されている。
このため、両連結材３０に対して、各摘出物スライス補助具２０が両連結材３０の長さ方向に適宜摺動されることによって、両摘出物スライス補助具２０同士の間隔が調整される。
図１には、両摘出物スライス補助具２０の間隔が長くされた状態が示され、図３には、両摘出物スライス補助具２０の間隔が短くされた状態が示されている。
【００３７】
なお、各連結材３０の両端部には、抜け止め部（各挿通孔２２よりも大きなもの）が設けられていてもよい。すなわち、各連結材３０の一端部には抜け止め部が固定的に設けられ、各連結材３０の他端部には抜け止め部が着脱可能に設けられていてもよい。
また、両連結材３０の一端部同士は、両者とは垂直方向に延びる結合材によって固定的に結合されていてもよい。これによって、各連結材３０の当該一端部における抜け止めが図られるとともに、両連結材３０の相対的位置関係が所定のものに維持されることになる。さらには、両連結材３０の他端部同士は、両者とは垂直方向に延びる結合材によって着脱可能に結合されていてもよい。
また、各連結材３０には、目盛りが設けられていてもよい。これによって、両摘出物スライス補助具２０（ベース２１）の間隔が視認され得るとともに、当該間隔が容易に所定のものに調整され得る。
また、連結材３０の数は、２本（一対）である必要はなく、３本以上あってもよい。また、連結材３０は、幅広の１本（１枚）の帯板状をしていてもよい。
【００３８】
受け板５０（図１）は、主としてコルク材によって形成されている。すなわち、コルク材のみによって形成されている場合のほか、下側の部分が他の材質によって形成され、上側の部分（おもて面の側の部分）のみがコルク材によって形成されている場合等がある。
受け板５０が主としてコルク材によって形成されているために、針２５（その先端部）が受け板５０に対して突き刺された際に、針２５が、その突き刺された状態で維持（保持）される。
【００３９】
次に、この摘出物スライス補助セットの使用方法及び作用効果について説明する。
図４Ａに示すように、まず、執刀者又はその補助者は、受け板５０に対して摘出物Ｅを載置する。
一方では、それと前後して、摘出物スライス補助装置１０において、その摘出物Ｅの大きさに応じて、両摘出物スライス補助具２０の間隔を調整する。
すなわち、摘出物Ｅが大きい場合は、両摘出物スライス補助具２０の間隔を長くし（図１参照）、摘出物Ｅが小さい場合は、両摘出物スライス補助具２０の間隔を短くする（図３参照）。
【００４０】
次に、前述と同じく図４Ａに示すように、執刀者又はその補助者は、両摘出物スライス補助具２０の各針２５を摘出物Ｅに対して突き刺し、摘出物Ｅを貫通させ、受け板５０に対して突き刺す。それによって、各針２５（その先端部）は、受け板５０において、その突き刺された状態で維持される。
こうして、摘出物Ｅが受け板５０に対して固定されるとともに、各摘出物スライス補助具２０自身も、受け板５０に対して固定される。
このようにして、摘出物スライス補助装置１０（両摘出物スライス補助具２０）がセットされ、摘出物Ｅをスライスするための準備が完了する。
【００４１】
次に、図４Ａ及び図４Ｂに示すように、執刀者は、ナイフＫを用いて、次のように、摘出物Ｅをスライスする。
すなわち、執刀者は、図４Ａ→図４Ｂに示すように、一方の摘出物スライス補助具２０における各針２５の隙間と、それに対応する他方の摘出物スライス補助具２０における各針２５の隙間にわたってナイフＫ（その刃Ｂ）を挿通させ、図４Ｂにおいて実線→２点鎖線で示すように、その挿通状態でナイフＫを下降させて、摘出物Ｅを切断する。
この作業を両摘出物スライス補助具２０のうちの一方の側の隙間から、順次、他方の側の隙間について行う。
こうして、摘出物Ｅがスライスされる。
【００４２】
すなわち、執刀者は、まず、一方の摘出物スライス補助具２０における１番目の隙間（隣接する針２５の間の隙間）と、他方の摘出物スライス補助具２０における１番目の隙間とによって形成される空間（１番目の一対隙間形成空間）にわたって、ナイフＫの刃Ｂを挿通させる。
その際、執刀者は、一方の摘出物スライス補助具２０のベース２１における「１」の隙間識別標識（図２参照）を目安とするとともに、他方の摘出物スライス補助具２０のベース２１における「１」の隙間識別標識を目安とする。
また、執刀者は、一方の摘出物スライス補助具２０における１番目の針２５の針自身識別標識としての「赤色」及び２番目の針２５の針自身識別標識としての「黄色」を目安とするとともに、他方の摘出物スライス補助具２０における１番目の針２５の針自身識別標識としての「赤色」及び２番目の針２５の針自身識別標識としての「黄色」を目安とする。
このように、執刀者は、隙間識別標識及び針自身識別標識を目安としつつ、その１番目の一対隙間形成空間にわたって、ナイフＫの刃Ｂを挿通する。
【００４３】
次に、執刀者は、その挿通状態でナイフＫを下降させて、摘出物Ｅを切断する（図４Ｂ）。すなわち、その１番目の一対隙間形成空間を構成する２対の針２５によってナイフＫの刃Ｂがガイドされつつ、ナイフＫを下降させて切断する。
【００４４】
次に、上述と同様にして、執刀者は、一方の摘出物スライス補助具２０における２番目の隙間と、他方の摘出物スライス補助具２０における２番目の隙間とによって形成される空間（２番目の一対隙間形成空間）にわたって、ナイフＫの刃Ｂを挿通させ、その挿通状態（ガイド状態）でナイフＫを下降させて、摘出物Ｅを切断する。
次に、上述と同様にして、執刀者は、一方の摘出物スライス補助具２０における３番目の隙間と、他方の摘出物スライス補助具２０における３番目の隙間とによって形成される空間（３番目の一対隙間形成空間）にわたって、ナイフＫの刃Ｂを挿通させ、その挿通状態（ガイド状態）でナイフＫを下降させて、摘出物Ｅを切断する。
以上を繰り返すことによって、各針２５の隙間に対応して、摘出物Ｅがスライスされるのである。
【００４５】
なお、２番目の隙間，４番目の隙間，６番目の隙間，…のように、偶数番目の隙間のみにおいてスライスしたり（すなわち、１つおきの隙間においてスライスしたり）、３番目の隙間，６番目の隙間，９番目の隙間，…のように、３の倍数の隙間のみにおいてスライスしたり（すなわち、２つおきの隙間においてスライスしたり）してもよい。
【００４６】
上述のように摘出物Ｅがスライスされた状態（すなわち、スライスされた直後の状態）においては、摘出物Ｅにはスライスされた切れ目が存在するものの、全体としては、スライスされる前の形状が保たれている。
このため、そのスライスされた直後の状態において、執刀者等は、各スライス片に対して番号を付する等、位置情報（摘出物Ｅがスライスされる前の状態において、各スライス片がどの位置にあったかという情報）を各スライス片に対して容易に付することができる。
このようにして、各スライス片に対して位置情報が付された上で、各スライス片は相互に分離され、各スライス片についてその後の処理がされ、各スライス片について分析がされる。そして、その分析結果が各スライス片の位置情報とともに総合されることによって、摘出物Ｅ全体について、病変の分布が明らかにされつつ、病理診断がされるのである。
【００４７】
以上のように、この摘出物スライス補助セットでは、両摘出物スライス補助具２０の複数の針２５によって、摘出物Ｅ（スライスの対象物）を受け板５０に対して容易に固定することができる。それとともに、各々の複数の針２５によって、各摘出物スライス補助具２０自身を受け板５０に容易に固定（セット）することができる。
【００４８】
そして、そのように摘出物Ｅ及び各摘出物スライス補助具２０が受け板５０に対して固定された状態で、所定の一対隙間形成空間にナイフＫの刃Ｂを挿通させ、その２対の針２５にガイドされつつ、ナイフＫを下降することによって、摘出物Ｅをほぼ鉛直に（２対の針２５の方向に沿って）、かつ、均一の間隔を隔てて切断することができる。
こうして、この摘出物スライス補助セットでは、摘出物Ｅを均一にスライスすることができる。すなわち、各スライス片においては、いずれの部位においても肉厚が同一であるとともに、すべてのスライス片の肉厚が同一である。
【００４９】
また、この摘出物スライス補助装置１０では、前述したように、両摘出物スライス補助具２０のベース２１に隙間識別標識（隣接する針２５同士の隙間を特定する数字）が付されているとともに、両摘出物スライス補助具２０の各針２５には針自身識別標識（自身を特定するための色彩）が付されている。
このため、執刀者は、その隙間識別標識、及び、針自身識別標識を目安とすることによって、容易に、両摘出物スライス補助具２０間において対応する針２５の隙間（一対隙間形成空間）にナイフＫを挿通することができる。
こうして、この摘出物スライス補助装置１０では、摘出物Ｅを容易に適切にスライスすることができる。
【００５０】
なお、上記のものはあくまで本発明の一実施形態にすぎず、当業者の知識に基づいて種々の変更を加えた態様で本発明を実施できることはもちろんである。
【００５１】
例えば、必ずしも、隙間識別標識（針の隙間を特定する数字等）及び針自身識別標識（針を特定する色彩等）の双方が設けられていなくてもよく、一方のみが設けられていてもよい。
【００５２】
また、各針（２５）の断面形状は、その全長にわたって円形である態様に限らず、他の形状であってもよい。例えば、正方形状であってもよい。また、各針（２５）のうちの上側の部分は、連結材（３０）の長さ方向に延びる線状の断面形状（すなわち帯板状の形状）を有していてもよい。
【図面の簡単な説明】
【００５３】
【図１】本発明の一実施形態の摘出物スライス補助セットを示す斜視図である。摘出物スライス補助装置において両摘出物スライス補助具の間隔を広げた状態を示す。
【図２】本発明の一実施形態の摘出物スライス補助装置（摘出物スライス補助具）の要部を示す拡大斜視図である。
【図３】本発明の一実施形態の摘出物スライス補助セットを示す斜視図である。摘出物スライス補助装置において両摘出物スライス補助具の間隔を狭めた状態を示す。
【図４Ａ】本発明の一実施形態の摘出物スライス補助セットの使用方法を示す斜視図である。最初の段階を示す。
【図４Ｂ】本発明の一実施形態の摘出物スライス補助セットの使用方法を示す斜視図である。図４Ａの次の段階を示す。
【符号の説明】
【００５４】
１０  摘出物スライス補助装置
２０  摘出物スライス補助具
２１  ベース
２５  針
３０  連結材
５０  受け板
Ｅ  摘出物
【図１】
0004510908.tif 000002
【図２】
0004510908.tif 000003
【図３】
0004510908.tif 000004
【図４Ａ】
0004510908.tif 000005
【図４Ｂ】
0004510908.tif 000006